(57)【特許請求の範囲】
【請求項１】
一枚又は数枚の防虫ネット材を立体的に構成し、その内部に空間領域を形成した立体形状の防虫ネットであり、
この防虫ネットは、取付側の防虫ネット材と、吹出側の防虫ネット材、及びこの取付側の防虫ネット材と吹出側の防虫ネット材とを連繋する繋ぎ側の防虫ネット材とで構成し、
この取付側の防虫ネット材は、建屋の壁面の躯体を利用して取付けるとともに、この取付側の防虫ネット材には、環境扇を取付けるための開口部を形成し、また、前記吹出側の防虫ネット材は、前記建屋の梁方向の躯体と、この梁方向の躯体に設けた取付け材とに設けて、この建屋の梁方向の全体に拡散して設け、さらに、前記繋ぎ側の防虫ネット材は、建屋の梁方向の躯体に取付ける構成とした環境扇用の防虫ネット。
【請求項２】
一枚又は数枚の防虫ネット材を立体的に構成し、その内部に空間領域を形成した立体形状の防虫ネットであり、
この防虫ネットは、取付側の防虫ネット材と、吹出側の防虫ネット材、及びこの取付側の防虫ネット材と吹出側の防虫ネット材とを連繋する繋ぎ側の防虫ネット材とで構成し、
この取付側の防虫ネット材は、建屋の壁面の躯体を利用して取付けるとともに、この取付側の防虫ネット材には、環境扇を取付けるための開口部を形成し、また、前記吹出側の防虫ネット材は、前記建屋の梁方向の躯体と、この梁方向の躯体に設けた取付け材とに設けて、この建屋の梁方向の全体に拡散して設け、さらに、前記繋ぎ側の防虫ネット材は、建屋の梁方向の躯体に取付ける構成とするとともに、この繋ぎ側の防虫ネット材を構成する底側の防虫ネット材には、開閉部と、この開閉部を開閉する開閉手段を設ける構成とした環境扇用の防虫ネット。
【請求項３】
請求項１、又は請求項２に記載の環境扇用の防虫ネットであって、
この建屋の梁方向の躯体は、屋根構成パイプであって、この屋根構成パイプに天井側の防虫ネット材の長手方向の複数部位を、それぞれ添接し、この添接した各部位の前記防虫ネットの短手方向の複数個所を、各屋根構成パイプに、挾持具、又は紐の取付具を介して、固止する構成とした環境扇用の防虫ネット。
【請求項４】
請求項１〜請求項３の何れかに記載の環境扇用の防虫ネットであって、
この防虫ネットを構成する繋ぎ側の防虫ネット材は、一方・他方の側面側の防虫ネット材と、天井側・底側の防虫ネット材とで構成した立体形状となることを特徴とした環境扇用の防虫ネット。
【請求項５】
請求項１〜請求項３の何れかに記載の環境扇用の防虫ネットであって、
この防虫ネットを構成する繋ぎ側の防虫ネット材は、天井側・底側の防虫ネット材とで構成するドーム形状となることを特徴とした環境扇用の防虫ネット。
【請求項６】
請求項２に記載の環境扇用の防虫ネットであって、
前記開閉部は、前記底側の防虫ネットの長手方向の略全幅に一条、又は短手方向の略全幅に複数条設ける構成することを特徴とした環境扇用の防虫ネット。
【発明の詳細な説明】
【技術分野】
【０００１】
本発明は、建屋の妻面に、吊下される環境扇用の防虫ネットであって、害虫の侵入防止（害虫捕獲）と、益虫の逃避防止等が図れる多用途と、並びに、この種の防虫ネットを、各建屋に確実・簡易に取付け、取外しできる簡便性と、実効性が図れる多目的とが達成できる、環境扇用の防虫ネット（チャンバー式の防虫ネット）に関する。
【背景技術】
【０００２】
近時、無公害の栽培、及び作物を図る、農薬の使用を、極力少なくした建屋（ハウス、温室等、以下、ハウスで説明する）の栽培方法がある。このような状況と、本出願人の業務の一環である、ハウス関係の資材、換気扇（送風、温調関係の機材）、又は防虫ネット等を提供することから、種々、提案する（出願をする）とともに、関連業者、ハウス栽培農家等から要望されている。このような状況から、この度の出願を提案する。そして、この出願に関連する本出願人の文献と、他の先行文献を、以下に概述する。
【０００３】
文献（１）として、特開２００８−１１８８６４の「ハウスの送風システム」がある。この発明は、ハウスの空気の流れを効率化すること、殊に、ハウス内に均一な空気の流れを確保するために、防虫ネットの新しい構造を提案する。即ち、天井、又は妻面（ハウスの吸込側か、又は排気側の壁面）等に張装したビニールフィルムと、このビニールフィルムの下側及び吸込側等に張装した防虫ネット材（防虫ネット）とで、防虫ネットを構成する。この構造では、換気扇からの吸込空気を、この防虫ネットで、ハウス内の内気とミキシングし、かつハウスの梁方向に分散し、その棟方向に向って、略均等に送風することと、この防虫ネットで害虫捕獲等を図ること、等を意図する。しかし、この発明では、防虫ネット材を、現場において、張装する構造であるので、例えば、この防虫ネット材と、ハウスの躯体、及び／又は、ビニールフィルムとの連結、張装、又は固定等の各作業に、手間と経験を要する問題があり、その改良が要望される。また、この防虫ネット材と、前記躯体、及び／又は、ビニールフィルムとの連結、張装、又は固定等する、所謂、取付け、連結箇所の不備（隙間、連結ミス等）から、害虫の侵入が考えられること、そして、この不備による害虫侵入による問題も考えられる処であって、その改良が要望される。
【０００４】
また、文献（２）として、特開２０１０−９９００９の「ハウスの換気口に装着されるチャンバーボックスの構造と、ハウスの換気口に装着されるチャンバーボックスを利用した送風方法」がある。この発明は、通気性シート（防虫ネットととしても役立つ）を、ハウスの天井の遮蔽シートを利用し、一方の妻面の換気扇、及びその壁面を囲繞するように張装する構造であり、底面シートと内面シートとで構成する。そして、この通気性シートを介して、この一方の妻面に、立方体の通気性シートのチャンバーボックスを設ける構造である。その特徴は、文献（１）に準ずる。また、その改良すべき要望も、文献（１）に準ずる。
【０００５】
さらに、文献（３）は、特開２００８−１５７５４９の「換気用防虫ネットおよびビニールハウスの換気」がある。この発明は、据付枠と、この据付枠に立設した骨組を、リブ状付の板材で形成し、この据付枠及び骨組に方形状の防虫ネットを被嵌し、この防虫ネットが接触する据付枠の周辺隅部と、骨組のコ字形の立設部に、防虫ネット用の押えスプリングを介して、張装、かつ一体化する構造である。しかし、この発明は、ハウス内において、単に換気扇をカバーする構造であり、また、現場において、躯体の杆体に、前記据付枠を取付ける構造であり、現場で取付け、又は防虫ネットを取付ける構造となることから、例えば、取付けの簡略化、容易化等に問題を残している。また、この発明は、単に換気扇をカバーする構造であり、吸込み空気のハウス内での分散化と、この吸込み空気を、ハウス内に均一に送込むことは、等は不可能と考えられる。
【０００６】
【特許文献１】特開２００８−１１８８６４
【特許文献２】特開２０１０−９９００９
【特許文献３】特開２００８−１５７５４９
【発明の概要】
【発明が解決しようとする課題】
【０００７】
前記文献（１）と、文献（２）は、防虫ネット材を、現場において、張装する構造であり、躯体、及び／又は、ビニールフィルムとの連結、張装、又は固定等の各作業を要するので、例えば、手間と経験を要する問題があり、その改良が要望される。また、この文献（１）と、文献（２）は、取付け、連結箇所の不備（隙間、連結ミス等）から、害虫の侵入が考えられること、そして、この不備による害虫侵入による問題も考えられる処であって、その改良が要望される。
【０００８】
また、文献（３）は、ハウス内において、単に換気扇をカバーする構造であり、また、現場において、躯体の杆体に、据付枠を取付ける構造であり、現場で取付け、又は防虫ネットを取付けることは明らかであり、取付けの簡略化、容易化等に問題を残している。そして、また、この文献（３）は、単に換気扇をカバーする構造であり、吸込み空気のハウス内での分散化と、この吸込み空気を、ハウス内に均一に送込むことは、等は不可能と考えられ、その改良が要望される。
【課題を解決するための手段】
【０００９】
請求項１の発明は、枠組み構成した空間領域を備えた立体形状の防虫ネット（防虫ネットチャンバー）を、簡易に、かつ短時間に、ハウス内にセットする（取付ける）こと、その際に、特別な工具と、作業を要さず、確実に取付け可能とすること、等を意図する。そして、また、請求項１の発明は、壁面（妻面）に取付けた環境扇と、この壁面、及びハウスの躯体を利用して、防虫ネットを吊下する構造であり、ハウスの所定の箇所に確実に取付け可能とすること、又は防虫ネットは、繋目の隙間がなく、もって、益虫の外部逃避を回避すること、等を図ることを目的とする。さらに、請求項１の発明は、ハウスの壁面、又は取付け箇所の形状に即応して、その角隅部を折畳み可能な構造とすることで、その棟方向に沿った、空間領域を備えた立体形状の防虫ネットを、簡易に、かつ短時間に、取付け可能とすることを意図する。そして、また、請求項１の発明は、空間領域を備えた立体形状の防虫ネットは、当所より、所定の形状に形成されていることに鑑み、防虫ネットには、益虫の外部逃避を回避することを考えている。
【００１０】
請求項１は、一枚又は数枚の防虫ネット材を立体的に構成し、その内部に空間領域を形成した立体形状の防虫ネットであり、
この防虫ネットは、取付側の防虫ネット材と、吹出側の防虫ネット材、及びこの取付側の防虫ネット材と吹出側の防虫ネット材とを連繋する繋ぎ側の防虫ネット材とで構成し、
この取付側の防虫ネット材は、建屋の壁面の躯体を利用して取付けるとともに、この取付側の防虫ネット材には、環境扇を取付けるための開口部を形成し、また、前記吹出側の防虫ネット材は、前記建屋の梁方向の躯体と、この梁方向の躯体に設けた取付け材とに設けて、この建屋の梁方向の全体に拡散して設け、さらに、前記繋ぎ側の防虫ネット材は、建屋の梁方向の躯体に取付ける構成とした環境扇用の防虫ネットである。
【００１１】
請求項２の発明は、請求項１の発明と同じ意図、目的等を達成することにある。そして、また、この請求項２の発明は、開閉部を底部に設けることで、この防虫ネットに侵入した害虫の捕獲と、益虫の保護を図ること、又はその防虫ネット内の清掃と、保守管理を図る際に、この防虫ネットへの進入を図ること、更には環境扇の部品を収容可能とし、体裁の確保と、この部品が防虫ネットから突出する弊害を回避すること、等を意図する。
【００１２】
請求項２は、一枚又は数枚の防虫ネット材を立体的に構成し、その内部に空間領域を形成した立体形状の防虫ネットであり、
この防虫ネットは、取付側の防虫ネット材と、吹出側の防虫ネット材、及びこの取付側の防虫ネット材と吹出側の防虫ネット材とを連繋する繋ぎ側の防虫ネット材とで構成し、
この取付側の防虫ネット材は、建屋の壁面の躯体を利用して取付けるとともに、この取付側の防虫ネット材には、環境扇を取付けるための開口部を形成し、また、前記吹出側の防虫ネット材は、前記建屋の梁方向の躯体と、この梁方向の躯体に設けた取付け材とに設けて、この建屋の梁方向の全体に拡散して設け、さらに、前記繋ぎ側の防虫ネット材は、建屋の梁方向の躯体に取付ける構成とするとともに、この繋ぎ側の防虫ネット材を構成する底側の防虫ネット材には、開閉部と、この開閉部を開閉する開閉手段を設ける構成とした環境扇用の防虫ネットである。  
【００１３】
請求項３の発明は、請求項１、又は請求項２の発明と同じ意図、目的等を達成することにある。そして、また、この請求項３の発明は、現場において、速やかに防虫ネットを取付け、又は取外しすること、又はこの取付けと、取外し作業が、経験と時間等を要せず、行えるようにすること、等を意図する。
【００１４】
請求項３は、請求項１、又は請求項２に記載の環境扇用の防虫ネットであって、
この建屋の梁方向の躯体は、屋根構成パイプであって、この屋根構成パイプに天井側の防虫ネット材の長手方向の複数部位を、それぞれ添接し、この添接した各部位の前記防虫ネットの短手方向の複数個所を、各屋根構成パイプに、挾持具、又は紐の取付具を介して、固止する構成とした環境扇用の防虫ネットである。
【００１５】
請求項４と請求項５の発明は、請求項１〜請求項３の何れかの発明と同じ意図、目的等を達成することにある。そして、また、この請求項４と請求項５の発明は、この防虫ネットを、ハウスの内部に確実、かつ簡易に取付けことと、この防虫ネットを、既設の躯体を利用することのみで、取付けること、等を意図する。
【００１６】
請求項４は、請求項１〜請求項３の何れかに記載の環境扇用の防虫ネットであって、
この防虫ネットを構成する繋ぎ側の防虫ネット材は、一方・他方の側面側の防虫ネット材と、天井側・底側の防虫ネット材とで構成した立体形状となることを特徴とした環境扇用の防虫ネットである。
【００１７】
請求項５は、請求項１〜請求項３の何れかに記載の環境扇用の防虫ネットであって、
この防虫ネットを構成する繋ぎ側の防虫ネット材は、天井側・底側の防虫ネット材とで構成するドーム形状となることを特徴とした環境扇用の防虫ネットである。
【００１８】
請求項６の発明は、請求項２の発明と同じ意図、目的等を達成することにある。そして、また、この請求項６の発明は、この開閉部に設けた開閉手段で、この開閉部を利用し、防虫ネットの建屋への設置・取外しと、この防虫ネット内の虫の取出し、又は、この防虫ネットの内部への物の収容、更には、この防虫ネットの内部の清掃を可能とすること、等を意図する。
【００１９】
請求項６は、請求項２に記載の環境扇用の防虫ネットであって、
前記開閉部は、前記底側の防虫ネットの長手方向の略全幅に一条、又は短手方向の略全幅に複数条設ける構成することを特徴とした環境扇用の防虫ネットである。
【発明の効果】
【００２０】
請求項１の発明は、一枚又は数枚の防虫ネット材を立体的に構成し、内部に空間領域を形成した立体形状の防虫ネットであり、
防虫ネットは、取付側の防虫ネット材と、吹出側の防虫ネット材、及び取付側の防虫ネット材と吹出側の防虫ネット材とを連繋する繋ぎ側の防虫ネット材とで構成し、
取付側の防虫ネット材は、建屋の壁面の躯体を利用して取付けるとともに、取付側の防虫ネット材には、環境扇を取付けるための開口部を形成し、また、吹出側の防虫ネット材は、建屋の梁方向の躯体と、梁方向の躯体に設けた取付け材とに設けて、建屋の梁方向の全体に拡散して設け、さらに、繋ぎ側の防虫ネット材は、建屋の梁方向の躯体に取付ける構成とした環境扇用の防虫ネットである。
【００２１】
従って、この請求項１は、枠組み構成した空間領域を備えた立体形状の防虫ネットを、簡易に、かつ短時間に、ハウス内にセットできる（取付け得る）こと、その際に、特別な工具と、作業を要さず、確実に取付け可能となること、等の特徴を有する。そして、また、この請求項１は、壁面（妻面）に取付けた環境扇と、この壁面、及びハウスの躯体を利用して、防虫ネットを吊下する構造であり、ハウスの所定の箇所に確実に取付け可能となること、又は防虫ネットは、繋目の隙間がなく、もって、益虫の外部逃避を回避できること、等で、その目的を達成できる。さらに、この請求項１は、ハウスの壁面、又は取付け箇所の形状に即応して、その角隅部を折畳み可能な構造とすることで、その棟方向に沿った、空間領域を備えた立体形状の防虫ネットを、簡易に、かつ短時間に、取付け可能となる実益がある。そして、また、この請求項１は、空間領域を備えた立体形状の防虫ネットは、当所より、所定の形状に形成されていることに鑑み、防虫ネットには、益虫の外部逃避を回避できることが考えられる。
【００２２】
請求項２の発明は、一枚又は数枚の防虫ネット材を立体的に構成し、内部に空間領域を形成した立体形状の防虫ネットであり、
防虫ネットは、取付側の防虫ネット材と、吹出側の防虫ネット材、及び取付側の防虫ネット材と吹出側の防虫ネット材とを連繋する繋ぎ側の防虫ネット材とで構成し、
取付側の防虫ネット材は、建屋の壁面の躯体を利用して取付けるとともに、取付側の防虫ネット材には、環境扇を取付けるための開口部を形成し、また、吹出側の防虫ネット材は、建屋の梁方向の躯体と、梁方向の躯体に設けた取付材とに設けて、建屋の梁方向の全体に拡散して設け、さらに、繋ぎ側の防虫ネット材は、建屋の梁方向の躯体に取付ける構成とするとともに、繋ぎ側の防虫ネット材を構成する底側の防虫ネット材には、開閉部と、開閉部を開閉する開閉手段を設ける構成とした環境扇用の防虫ネットである。
【００２３】
従って、この請求項２は、請求項１の発明と同じ意図、目的等を達成できる特徴がある。そして、また、この請求項２は、開閉部を底部に設けることで、この防虫ネットに侵入した害虫の捕獲と、益虫の保護が図れること、又はその防虫ネット内の清掃と、保守管理を図る際に、この防虫ネットへの進入が図れること、更には環境扇の部品を収容可能とし、体裁の確保と、この部品が防虫ネットから突出する弊害を回避できること、等の実益がある。
【００２４】
請求項３の発明は、請求項１、又は請求項２に記載の環境扇用の防虫ネットであって、
建屋の梁方向の躯体は、屋根構成パイプであって、屋根構成パイプに天井側の防虫ネット材の長手方向の複数部位を、それぞれ添接し、添接した各部位の前記防虫ネットの短手方向の複数個所を、各屋根構成パイプに、挾持具、又は紐の取付具を介して、固止する構成とした環境扇用の防虫ネットである。
【００２５】
従って、この請求項３は、請求項１、又は請求項２の発明と同じ意図、目的等を達成できる特徴がある。そして、また、この請求項３は、現場において、速やかに防虫ネットを取付け、又は取外しができること、又はこの取付けと、取外し作業が、経験と時間等を要せず、行えること、等の実益がある。
【００２６】
請求項４の発明は、請求項１〜請求項３の何れかに記載の環境扇用の防虫ネットであって、
防虫ネットを構成する繋ぎ側の防虫ネット材は、一方・他方の側面側の防虫ネット材と、天井側・底側の防虫ネット材とで構成した立体形状となることを特徴とした環境扇用の防虫ネットである。
【００２７】
請求項５の発明は、請求項１〜請求項３の何れかに記載の環境扇用の防虫ネットであって、
この防虫ネットを構成する繋ぎ側の防虫ネット材は、天井側・底側の防虫ネット材とで構成するドーム形状となることを特徴とした環境扇用の防虫ネットである。
【００２８】
従って、この請求項４と請求項５は、請求項１〜請求項３の何れかの発明と同じ意図、目的等を達成できる特徴がある。そして、また、この請求項４と請求項５は、この防虫ネットを、ハウスの内部に確実、かつ簡易に取付け得ることと、この防虫ネットを、既設の躯体を利用することのみで、取付けできること、等の実益がある。
【００２９】
請求項６の発明は、請求項２に記載の環境扇用の防虫ネットであって、
開閉部は、底側の防虫ネットの長手方向の略全幅に一条、又は短手方向の略全幅に複数条設ける構成することを特徴とした環境扇用の防虫ネットである。
【００３０】
従って、この請求項６は、請求項２の発明と同じ意図、目的等を達成できる特徴がある。そして、また、この請求項６は、この開閉部に設けた開閉手段で、この開閉部を利用し、防虫ネットの建屋への設置・取外しと、この防虫ネット内の虫の取出し、又は、この防虫ネットの内部への物の収容、更には、この防虫ネットの内部の清掃を可能となること、等の実益がある。
【図面の簡単な説明】
【００３１】
【図１】本発明の第一実施例を示したハウス内部より視認した要部の正面模式図
【図２】本発明の第一実施例を示した防虫ネットとハウスの躯体との関係を説明する要部の側面模式図
【図３】本発明の第一実施例を示した防虫ネットと枠体との関係を説明する要部の平面模式図
【図４−１】防虫ネット材と、屋根構成パイプとを、挾持具（商品名、パッカー）で固止した（挾持、緊締、又は取付け等して固止した）状態の拡大正面模式図
【図４−２】防虫ネット材と、屋根構成パイプとを、係止環及び紐等の連結具で固止した状態の拡大正面模式図
【図４−３】防虫ネット材と、梁パイプ（差渡し杆）とを、挾持具（商品名、パッカー）で固止した（挾持、緊締、又は取付け等して固止した）状態の拡大断面模式図
【図５−１】図２に示した第一実施例の防虫ネットの他の一例を示した要部の平面模式図
【図５−２】図２に示した第一実施例の防虫ネットのさらに他の一例を示した要部の平面模式図
【図５−３】開閉手段を示した要部拡大図
【図６】本発明の第二実施例を示したハウス内部より視認した要部の正面模式図
【図７】本発明の第二実施例を示した防虫ネット材とハウスの躯体との関係を説明する要部の側面模式図
【図８】本発明の第二実施例を示した防虫ネット材と枠体との関係を説明する要部の平面模式図
【図９】図７に示した第二実施例の防虫ネットの他の一例を示した要部の平面模式図
【図１０】本発明の第三実施例を示したハウス内部より視認した要部の正面模式図
【図１１】本発明の第三実施例を示した防虫ネット材とハウスの躯体との関係を説明する要部の側面模式図
【図１２】本発明の第三実施例を示した防虫ネット材と枠体との関係を説明する要部の平面模式図
【図１３】図１１に示した第三実施例の防虫ネット材の他の一例を示した要部の平面模式図
【図１４】各実施例における環境扇の拡大正面図
【図１５】各実施例における環境扇の拡大側面図
【発明を実施するための形態】
【００３２】
図１〜図５−４に示した第一実施例において、長方体を呈する立体形状（チャンバー式）の防虫ネット１（防虫ネットチャンバー）は、この立体形状を確保するために、各面状の防虫ネット材２ａ〜２ｅ（後述する）を組付けて構成する。その好ましい、一例を説明すると、建屋（ハウスＨとする）の妻面Ｈ１に位置する方形状の取付側１００の取付側の防虫ネット材２ａと、この取付側の防虫ネット材２ａの長手方向Ｘ（梁方向Ｘ１）の両端部に連接して設けた一方・他方側面側１０１・１０２の一方・他方の側面側の防虫ネット材２ｂ・２ｃと、及び天井側１０３・底側１０４の天井側・底側の防虫ネット材２ｄ・２ｅと、並びにハウスＨの内部Ｈ２に位置する吹出側１０５の吹出側の防虫ネット材２ｆとで構成する。また、一方・他方の側面側の防虫ネット材２ｂ・２ｃと、天井側・底側の防虫ネット材２ｄ・２ｅとは同じ形状であり、長方体を形成する。この各一枚構造、又は筒体との組合せ等でなる取付側〜吹出側の防虫ネット材２ａ〜２ｆの必要とする隣接部を縫合するか、又は編成で一体的に構成した立体形状の防虫ネット１を構成し、かつこの防虫ネット１には、同じ立体形状の空間領域３が形成される（各例とも同じ）。また、前記取付側１００には、環境扇８（後述する）を取付けるための開口部５を形成する。尚、前記防虫ネット１の編成製造時において、一体の袋体とする構造は、密着性、強度性、或いはコストの低廉化等の面から好ましい。そして、この第一実施例では、繋ぎ側の防虫ネット１は、前記一方・他方の側面側の防虫ネット材２ｂ・２ｃと、天井側・底側の防虫ネット材２ｄ・２ｅとで構成する。
【００３３】
この防虫ネット１をハウスＨに取付ける一例を説明すると、天井側の防虫ネット材２ｄの長手方向Ｘの複数部位２ｄ−１〜２ｄ−ｎを、ハウスＨの躯体ＨＨを構成する複数本の屋根構成パイプＨ３に、それぞれ添接し、添接した各部位２ｄ−１〜２ｄ−ｎの防虫ネット材２ｄの短手方向Ｙ（棟方向Ｙ１）の複数個所２ｄ１−１〜２ｄ１−ｎを、各屋根構成パイプＨ３に、挾持具、又は紐の取付具６を介して、固止する。そして、吹出側の防虫ネット材２ｆか、又は底側１０４の防虫ネット材２ｅ（この防虫ネット材２ｆと、底側の防虫ネット材２ｅとの縫合部位も可能）の長手方向Ｘの複数部位２ｆ−１〜２ｆ−ｎ、又は２ｅ−１〜２ｅ−ｎを、取付け材となる梁パイプＨ４（後付けパイプも可能）に止め具６を介して固止する。この天井側の防虫ネット材２ｄと、底側の防虫ネット材２ｅ等との固止を介して、その取付側の防虫ネット材２ａが妻面Ｈ１に設けた環境扇８に密着状に取付けられ、かつその吹出側の防虫ネット材２ｆがハウスＨの内部Ｈ２に取付けられる。また、この吹出側の防虫ネット材２ｆがハウスＨの梁方向Ｘ１の略全体に張装される。そして、場合により、図示しないが、ハウスＨへの取付け時に、防虫ネット１の上方の両角隅部（番号なし）を、躯体ＨＨの屋根梁体パイプＨ３の形状に合わせて、折畳み、ハウスＨの形状に合わせた使用例もあり得る。また、屋根構成パイプＨ３、又は梁パイプＨ４への止め具６の取付けは、ハウスＨの内側と外側のどちらからでも、任意に固止することができる。
【００３４】
また、この防虫ネット１の取付側１００には、前述の如く、環境扇８を取付けるための開口部５を有しており、例えば、環境扇８（換気扇、循環扇、排気扇等）の他方枠体８ａ周辺に挾持部材８００を設け、この挾持部材８００に、開口部５の周辺の取付側の防虫ネット材２ａを重畳し、この重畳部を挾持具（図示しない）で、挾持部材８００に固止する構造とする。この構造により、取付側の防虫ネット材２ａと、環境扇８の密着性と、取付側の防虫ネット材２ａの簡便で、かつスムーズな取付けが図れること、等の特徴がある。
【００３５】
そして、また、図５−１の如く、防虫ネット１の底側の防虫ネット材２ｅには、この防虫ネット材２ｅの長手方向Ｘの略全幅に掛けて、開閉可能な開閉部１０を形成する。この開閉部１０は、開閉手段１１（ファスナー）を介して、自由に開閉する。そして、この開閉部１０は、種々の目的に使用されるものであり、例えば、防虫ネット１のハウスＨへの設置・取外しと、この防虫ネット１に侵入した害虫の捕獲と、益虫の保護が図れること、又はその防虫ネット１内の清掃と、保守管理を図る際に、この防虫ネット１への進入が図れること、更には環境扇８の部品（操作チェーン８０１）を収容可能とし、体裁の確保と、この部品が防虫ネット１から突出する弊害を回避できること、等の実益がある。尚、図５−２は、防虫ネット１の底側の防虫ネット材２ｅの短手方向Ｙの略全幅に複数条の開閉可能な開閉部１０を形成したものを示す。
【００３６】
この防虫ネット１は、例えば、その略全体を、図１の如く、躯体ＨＨ、又は前記の如く、躯体ＨＨの屋根構成パイプＨ３に吊下し、その下端を梁パイプＨ４（錘、又は図示しない紐、柱体Ｈ５等での張装も可能）で緊張する構成とし、また、この防虫ネット１の開口部５は、躯体ＨＨの方形状の棧枠Ｈ６に支持した環境扇８に密着して支持される。この略全体と開口部５の支持で、この防虫ネット１は、ハウスＨの妻面Ｈ１に取付けられる。この防虫ネット１のハウスＨの妻面Ｈ１への取付けは、簡易な操作と、経験を要さず実施できること、また、この防虫ネット１には隙間もなく、空間領域３での害虫の捕獲と、空間領域３への益虫の侵入防止（逃避防止）に役立つこと、等の特徴がある。また、防虫ネット１の立体形状と、この立体形状と相似形の空間領域３とを利用することで、例えば、ハウスＨ内の梁方向Ｘ１の全体に、略均等に、緩やかな風を送りつつ、ハウスＨ内の空気と外気をミキシングすることができこと、また、このハウスＨ内における作物への送風領域の拡充と、梁方向Ｘ１の全体に介して、効率的な送風を確保できること、等の特徴がある。そして、また、送風量の少量化と、環境扇８及び／又はファン８０４の低容量化等による経済的な効果及び／又は省資源化の達成と、ランニングコストの低廉化が図れ、又は作地面積の拡充による作物の収穫量の上昇、作物への作業性の向上等に有益である。また、作物の高温障害の回避、病気の発生・蔓延防止・萎凋化防止等（植物の生育環境の確保）にも実益が期待できる。尚、その取外しも、取付け時と同様に、簡易な操作と、経験を要さず支持できる。
【００３７】
尚、環境扇８は、他方枠体８ａと妻面Ｈ１に取付けられる方形状の一方枠体８ｂと、この他方枠体８ａと一方枠体８ｂとの対峙する隅角に差渡した梁枠体８ｃで枠組みし、この他方枠体８ａに鉛直方向に旋回（３６０°回転）できる構造とする。そして、この環境扇８は、他方枠体８ａに枢支される環境扇枠８０２と、モータ８０３と、ファン８０４と、カバー８０５を主構造部品とし、操作チェーン８０１の回転操作で、ロック解除と、環境扇８の旋回を図り、その後、この操作チェーン８０１の停止操作で、ロックと、旋回終了を図る構造である。以上の旋回機構を利用して、この環境扇８を吸込用、又は排気用として利用する構造である。
【００３８】
次に、図６〜図９に示した第二実施例において、天井側１０３がドーム形状（ドーム形）を呈する立体形状の防虫ネット１で、この防虫ネット１の好ましい構成は、ハウスＨの妻面Ｈ１に位置する扇形形状の取付側の防虫ネット材２ａと、この取付側の防虫ネット材２ａに設けた湾曲形状の天井側の防虫ネット材２ｄ（前記）と、底側の防虫ネット材２ｅと、ハウスＨの内部Ｈ２に位置する扇形形状でなる吹出側の防虫ネット材２ｆとで構成する。そして、この取付側の防虫ネット材２ａと吹出側の防虫ネット材２ｆとは同じ形状である。そして、前述の例と同様に、この取付側の防虫ネット材２ａと、天井側の防虫ネット材２ｄ、及び底側の防虫ネット材２ｅ、並びに吹出側の防虫ネット２ｆとで構成した立体形状の防虫ネット１には、同じ形状の空間領域３が形成される。また、前記取付側１００には、環境扇８を取付けるための開口部５を形成する。尚、この防虫ネット１の取付け、取外し、又はその特徴は、前述の例に準ずる。そして、この第三実施例では、ハウスＨへの取付け時に、防虫ネット１を、躯体ＨＨの屋根構成パイプＨ３に添って、取付けできるので有益である。そして、この第二実施例では、繋ぎ側の防虫ネット１は、前記天井側・底側の防虫ネット材２ｄ・２ｅとで構成する。そして、この第二実施例では、この天井側の防虫ネット材２ｄは、前記一方・他方の側面側の防虫ネット材２ｂ・２ｃも兼ねる構造である。
【００３９】
続いて、図１０〜図１３に示した第三実施例において、第一実施例の上方両角隅部１ａを欠截した長方体を呈する立体形状の防虫ネット１で、この防虫ネット１の、好ましい構成は、ハウスＨの妻面Ｈ１に位置し、その上方両角隅部１ａを欠截した梁方向Ｘ１の取付側の防虫ネット材２ａと、この取付側の防虫ネット２の棟方向Ｙ１に設けた一方・他方の側面側の防虫ネット材２ｂ・２ｃと、天井側・底側の防虫ネット材２ｄ・２ｅと、ハウスＨの内部Ｈ２に位置し、その上方両角隅部１ａを欠截した方形状でなる吹出側の防虫ネット材２ｆとで構成する。そして、この取付側の防虫ネット材２ａと吹出側の防虫ネット材２ｆとは同じ形状であり、また、一方側の面側の防虫ネット材２ｂと、他方の側面側の防虫ネット材２ｃとは同じ形状とする。そして、前述の例と同様に、この取付側の防虫ネット材２ａと、一方・他方の側面側の防虫ネット材２ｂ・ｃと、天井側の防虫ネット材２ｄ、及び底側の防虫ネット材２ｅとで構成した立体形状の防虫ネット１には、同じ形状の空間領域３が形成される。また、前記取付側１００には、環境扇８を取付けるための開口部５を形成する。尚、この防虫ネット１の取付け、取外し、又はその特徴は、前述の例に準ずる。そして、この第三実施例では、繋ぎ側の防虫ネット１は、前記一方・他方の側面側の防虫ネット材２ｂ・２ｃと、天井側・底側の防虫ネット材２ｄ・２ｅとで構成する。
【００４０】
以上で説明した、第一乃至第三実施例は、好ましい形態の防虫ネット１を説明したものであり、この各実施例に限定されない。例えば、この防虫ネット１を、台形を呈する立体形状にすることも考えられる。この場合、取付側の防虫ネット材２ａを収斂側、吹出側の防虫ネット材２ｆ拡開側とすることが望ましい。
【符号の説明】
【００４１】
１                      防虫ネット
１ａ                    角隅部
１００                  取付側
１０１                  一方側面側
１０２                  他方側面側
１０３                  天井側
１０４                  底側
１０５                  吹出側
２ａ                    取付側の防虫ネット材
２ｂ                    側面側の防虫ネット材
２ｃ                    側面側の防虫ネット材
２ｄ                    天井側の防虫ネット材
２ｄ−１〜２ｄ−ｎ      部位
２ｄ１−１〜２ｄ１−ｎ  個所
２ｅ                    底側の防虫ネット材
２ｅ−１〜２ｅ−ｎ      部位
２ｆ                    吹出側の防虫ネット材
２ｆ−１〜２ｆ−ｎ      部位
３                      空間領域
５                      開口部
６                      取付け具
８                      環境扇
８ａ                    他方枠体
８ｂ                    一方枠体
８ｃ                    梁枠体
８００                  挾持部材
８０１                  操作チェーン
８０２                  環境扇枠
８０３                  モータ
８０４                  ファン
８０５                  カバー
１０                    開閉部
１１                    開閉手段
Ｈ                      ハウス
ＨＨ                    躯体
Ｈ１                    妻面
Ｈ２                    内部
Ｈ３                    屋根構成パイプ
Ｈ４                    梁パイプ
Ｈ５                    柱体
Ｈ６                    棧枠
Ｘ                      長手方向
Ｘ１                    梁方向
Ｙ                      短手方向
Ｙ１                    棟方向
【図１】
0005424265.tif 000002
【図２】
0005424265.tif 000003
【図３】
0005424265.tif 000004
【図４−１】
0005424265.tif 000005
【図４−２】
0005424265.tif 000006
【図４−３】
0005424265.tif 000007
【図５−１】
0005424265.tif 000008
【図５−２】
0005424265.tif 000009
【図５−３】
0005424265.tif 000010
【図６】
0005424265.tif 000011
【図７】
0005424265.tif 000012
【図８】
0005424265.tif 000013
【図９】
0005424265.tif 000014
【図１０】
0005424265.tif 000015
【図１１】
0005424265.tif 000016
【図１２】
0005424265.tif 000017
【図１３】
0005424265.tif 000018
【図１４】
0005424265.tif 000019
【図１５】
0005424265.tif 000020